(57)【特許請求の範囲】
【請求項１】
内部に充填する中詰材の間に、中詰材の横変形に対して摩擦抵抗力を生じて変形を抑制しようとする面状材料を複数段に介在させてなる土留め用かご枠構造物。
【請求項２】
面状材料は、摩擦抵抗力があり、かつ引張り耐力を備えた金属製、樹脂製、化学繊維製の板状またはシート状材料である請求項１に記載の土留め用かご枠構造物。
【請求項３】
面状材料は、その端部をかご枠構造物に結合して中詰材間に介在させる請求項１又は２に記載の土留め用かご枠構造物。
【請求項４】
内部に充填する中詰材を、その横変形に対して摩擦抵抗力を生じて変形を抑制しようとする面状材料で包み込み、天端まで複数段に積み重ねてなる土留め用かご枠構造物。
【請求項５】
面状材料は、化学繊維製のシート状材料である請求項４に記載の土留め用かご枠構造物。
【発明の詳細な説明】
【０００１】
【発明の属する技術分野】
この発明は、数段高さに段積みして擁壁や堰堤を構築する土留め用かご枠構造物に係り、特に荷重に対する耐変形性を備えた土留め用かご枠構造物に関する。
【０００２】
【従来の技術】
従来より、この種のかご枠構造物は、それ自体では外力および自重に対して形状の変形を抑制するような強度を備えておらず、その抑制は、専らかご枠内部に中詰材として充填する栗石等のせん断抵抗力に期待するものであった。
【０００３】
しかし、近年は、栗石の不足や現場発生土の処理を目的として、この種のかご枠構造物の中詰材に、土砂を使用するケースが多くなってきた。
【０００４】
【発明が解決しようとする課題】
ところが、土砂は栗石に比べてせん断抵抗力が小さく、これをそのまま土留め用かご枠構造物の中詰材として使用した場合には、かご枠構造物の変形や段積みの崩壊を生じるおそれがある。
【０００５】
このため、土砂を中詰材として使用する場合には、かご枠構造物自体を補強したり、あるいは土砂に混和物（セメント、石灰等）を混ぜて中詰材のせん断抵抗力を高める等の強化対策が必要であり、材料費の増加や現場での施工性の低下が問題となっていた。
【０００６】
本発明は、このような問題を解決するためになされたものであり、かご枠構造物を補強したり、土砂に混和物を混ぜたりする必要がなく、しかも土砂を中詰材に使用して、外力や自重に対する高いせん断抵抗力が得られる耐変形性を備えた土留め用かご枠構造物の提供を目的とする。
【０００７】
【課題を達成するための手段】
上記目的を達成する本発明の土留め用かご枠構造物は、内部に充填する中詰材の間に、中詰材の横変形に対して摩擦抵抗力を生じて変形を抑制しようとする面状材料を複数段に介在させてなるものである。
【０００８】
すなわち本発明は、かご枠構造物の中詰材の間に面状材料を水平に複数段に介在させておくことにより、中詰材のせん断抵抗力を大きくしようとするものであって、図１に示すように、かご枠構造物１に鉛直荷重（上段かご枠構造物の自重）が加わると、中詰材３が矢印で示すように横方向に変形しようとし、それにより中詰材３に複数段に介在させた面状材料２と中詰材３との接触面に摩擦抵抗が生じる。これが各面状材料に伝達して、これらの面状材料の引張り強さにより中詰材３の横変形を抑制しようとするせん断抵抗力が矢印で示すように発生するという現象を利用してかご枠構造物の耐変形機能を高めたものである。なお、図２に示すように、かご枠構造物１に水平荷重（土圧）が加わった場合でも、前記同様に中詰材３が横変形することにより、面状材料２には、これを抑制しようとするせん断抵抗力が発生する。
【０００９】
本発明において、面状材料２とは、摩擦抵抗力があり、かつ引張り耐力を備えた金属製、樹脂製、化学繊維製の板状あるいはシート状の材料を云い、具体的には溶接金網、エキスパンドメタル、ジオグリット、織布、不織布等を指す。
【００１０】
また、面状材料２は、図７（ａ）（ｂ）に示すように、その両側または片側の端部を結合金具７でかご枠構造物１に結合することによって中詰材３間に水平に介在させてもよい。この場合には、中詰材３の変形を抑制するだけでなく、かご枠構造物１自体の変形を抑制する補強材としての効果が得られる。
【００１１】
織布、不織布等の化学繊維製の面状材料であってシート状のものを使用する場合は、図８に示すように、中詰材３を当該シート状の面状材料で包み込むようにしてもよい。これにより、中詰材３が変形しようとするときの水平方向の抑止効果だけでなく、鉛直方向にも面状材料の引張り力により変形を抑止しようとする効果が得られる。
【００１２】
さらに、図１１に示すように、面状材料２が透水性を有する織布、不織布等の化学繊維材である場合は、中詰材３の水分が面状材料２に矢印で示すように吸水されてかご枠構造物１の外部へ排出されるから、中詰材３のせん断抵抗力を一層高める効果が得られる。
【００１３】
【発明の実施の形態】
図３は、本発明に係る土留め用カゴ枠構造物の好ましい実施の形態であり、１はかご枠構造物を、２は中詰材３間に介在させた面状材料を、それぞれ示している。
【００１４】
すなわち、かご枠構造物１は、ひし形金網や溶接金網、エキスパンドメタル等で形成された箱型の容器であり、その内部に栗石や土砂等の中詰材３を充填してブロック化したものを所要高さに段積みすることにより、擁壁や堰堤に構築するものである。
【００１５】
図示例において、かご枠構造物１の内部に充填された中詰材３は土砂であり、その上下間に複数の面状材料２がほぼ等間隔で水平に介在させてある。これらの面状材料２には、金属製の溶接金網やエキスパンドメタル、樹脂製のジオグリット、化学繊維製の織布、不織布などの摩擦抵抗力があり、かつ引張り耐力を備えた板状またはシート状の材料が使用されるが、図示例では、厚さ１ｃｍ程度の板状不織布（フェルト）をかご枠構造物１の底面とほば同じ大きさに形成して使用している。
【００１６】
面状材料２を中詰材３間に介在させるには、まず、図４（ａ）に示すように、かご枠構造物１を所定位置に設置して、ショベル４等で中詰材３を投入する。このときの中詰材３の投入厚Ｗは、転圧可能な厚さ、一般的には３０ｃｍ程度である。次に、図４（ｂ）に示すように、投入した中詰材３を震動ランマー５等で転圧して締固める。次に、図４（ｃ）に示すように、締固めた中詰材３の上に面状材料２を敷設する。この図４（ａ）〜（ｃ）の作業をかご枠構造物１の天端まで繰り返すことにより、複数の面状材料２を中詰材３の間にほぼ等間隔で水平に介在させることができる。
【００１７】
このようにして、複数の面状材料２を間に介在させた中詰材３を天端まで充填したかご枠構造物１は、ブロックを形成し、これを必要段数に段積みして、図５に示すような擁壁や、図６に示すような堰堤に構築される。なお、図６に示す堰堤の場合は、その中心のコア部分６にも面状材料２を介在させることにより、該コア部分６の中詰材２の横変形に対する安定化を図ることができる。
【００１８】
図７は、本発明の他の実施の形態であり、かご枠構造物１の中詰材３間に介在させる面状材料２が、その端部を結合金具７によりかご枠構造物１に接合して設けられている例である。同図（ａ）は面状材料２の両側端部を結合金具７によりかご枠構造物１に結合した場合、同図（ｂ）は面状材料２の片側端部を結合金具７によりかご枠構造物１に結合した場合を示しており、いずれの場合も、面状材料２は、中詰材３の横変形を抑制するだけでなく、かご枠構造物１自体の変形を抑制する補強材の役目をもする。結合金具７については、面状材料２の種類により種々考えられるが、面状材料２をかご枠構造物１に強固に結合するものであれば、どのような構造のものでもよい。
【００１９】
図８は、やはり本発明の他の実施の形態であり、中詰材３を織布あるいは不織布等の化学繊維製のシート状面状材料２で包み込んだ例である。この場合には、外力等により変形しようとする中詰材３の水平方向の抑止効果だけでなく、中詰材３の鉛直方向の変形に対しても、面状材料の引張り力により変形を抑止する効果が得られる。シート状の面状材料２で中詰材３を包み込む方法としては、同図に示すような中詰材３全体を包み込む場合のほか、図９に示すように、中詰材３をＵ字形に包み込む方法や、あるいは図１０に示すように、中詰材３をＪ字形に包み込む方法が考えられる。
【００２０】
また、図３〜図１０のいかなる実施形態においても、中詰材３に介在された面状材料２が透水性を有する織布や不織布等の化学繊維材料である場合は、図１１に示すように、中詰材３の水分が転圧やかご枠構造物１の自重の影響などで面状材料２に矢印で示すように吸水されてかご枠構造物１の外部へ排出されるから、中詰材３のせん断抵抗力を一層高める効果が得られる。
【００２１】
【発明の効果】
以上に説明したとおり、本発明の土留め用かご枠構造物は、その内部に充填する中詰材の間に面状材料を介在させておくだけで、外圧に対するかご枠構造物の耐変形強度を著しく高めることができる。
【００２２】
したがって、中詰材として、せん断抵抗力の小さい土砂を使用する場合でも、従来のようにかご枠構造物自体の補強加工や、土砂にセメント等の混和物を混ぜてせん断抵抗力を高めるといった面倒な強化対策を講じる必要がなく、コストが低減し、かつ施工性を大きく高めることができる。
【図面の簡単な説明】
【図１】本発明のかご枠構造物の原理を説明する正面図である。
【図２】本発明のかご枠構造物の原理を説明する正面図である。
【図３】本発明のかご枠構造物の正面図である。
【図４】本発明に係る面状材料を中詰材間に介在させる手順を説明する正面図である。
【図５】本発明かご枠構造物により構築される擁壁を示す断面図である。
【図６】本発明かご枠構造物により構築される堰堤を示す正面図である。
【図７】面状材料をかご枠構造物に結合した例を示す正面図であり、（ａ）は面状材料の両側端部を結合した場合を、（ｂ）は面状材料の片側端部を結合した場合を示す。
【図８】中詰材を面状材料で包み込む例を示す正面図である。
【図９】中詰材を面状材料で包み込む他の例を示す正面図である。
【図１０】中詰材を面状材料で包み込む他の例を示す正面図である。
【図１１】面状材料が透水性材料である例を示す正面図である。
【符号の説明】
１  かご枠構造物
２  面状材料
３  中詰材
６  コア部分
７  結合金具
【図１】
0003725107.tif 000002
【図２】
0003725107.tif 000003
【図３】
0003725107.tif 000004
【図４】
0003725107.tif 000005
【図５】
0003725107.tif 000006
【図６】
0003725107.tif 000007
【図７】
0003725107.tif 000008
【図８】
0003725107.tif 000009
【図９】
0003725107.tif 000010
【図１０】
0003725107.tif 000011
【図１１】
0003725107.tif 000012